(57)【要約】【課題】  払出異常の解消後に払い出される残りの賞球個数に対する遊技者側の疑念を払拭し得るとともに、遊技者にとっての視覚的な煩わしさを解消することができるパチンコ遊技機を提供する。【解決手段】  遊技盤上に打ち出された遊技球が当該遊技盤上の入賞口に入賞することにより、その入賞に対応して設定された個数の賞球を払い出しする払出装置１４を具備したパチンコ遊技機において、払い出されるべき賞球個数から前記払出装置にて実際に払い出された賞球個数を減算して、当該払出装置１４から払い出しすべき残りの賞球個数を演算する演算手段２２と、払出異常を検知する払出異常検知手段２３と、該払出異常検知手段２３が払出異常を検知し、且つ、演算手段２２により演算された残りの賞球個数が有る場合に、当該残りの賞球個数を表示する未払出個数表示手段７とを備えたものである。【選択図】図５
2006158450.tif 000002
【特許請求の範囲】
【請求項１】
遊技盤上に打ち出された遊技球が当該遊技盤上の入賞口に入賞することにより、その入賞に対応して設定された個数の賞球を払い出しする払出装置を具備したパチンコ遊技機において、
払い出されるべき賞球個数から前記払出装置にて実際に払い出された賞球個数を減算して、当該払出装置から払い出しすべき残りの賞球個数を演算する演算手段と、
前記払出装置による払出動作が不可能となった払出異常を検知する払出異常検知手段と、
該払出異常検知手段が払出異常を検知し、且つ、前記演算手段により演算された残りの賞球個数が有る場合に、当該残りの賞球個数を表示する未払出個数表示手段と、
を備えたことを特徴とするパチンコ遊技機。
【請求項２】
前記払出異常検知手段が払出異常を検知した際、当該払出異常の解消を指示する表示を行うことを特徴とする請求項１記載のパチンコ遊技機。
【請求項３】
賞球を受け得る受け皿が満杯となったことにより前記払出異常検知手段が払出異常を検知した際、当該受け皿上の遊技球を排出するための操作手段又は遊技球が排出される排出口近傍を点灯させることを特徴とする請求項１又は請求項２記載のパチンコ遊技機。
【発明の詳細な説明】
【技術分野】
【０００１】
本発明は、遊技盤上に打ち出された遊技球が当該遊技盤上の入賞口に入賞することにより、その入賞に対応して設定された個数の賞球を払い出しする払出装置を具備したパチンコ遊技機に関するものである。
【背景技術】
【０００２】
パチンコ遊技機は、一般に、遊技盤上に打ち込まれた遊技球が入賞口に入賞すると、その入賞に応じた個数の賞球を払出装置にて払い出しするよう構成されている。然るに、例えば賞球を受け得る受け皿が満杯となり、払出装置による当該受け皿への賞球の払い出しが不可能となった際、前面枠上部のランプ等を点灯させて払出動作が異常であることを表示していた。そして、遊技者などが受け皿の球抜き操作等を行うことにより払出異常が解消すると、払出装置により残りの賞球を払い出すよう構成されていた。
【０００３】
ところで、上記パチンコ遊技機においては、払出異常の解消後、当該異常が発生するまでに払い出された賞球を減算した残りの賞球（未払出の賞球）を払い出ししていたのであるが、遊技者にとっては、その払い出された賞球が本来の未払い賞球の個数に一致するか否かの疑念が生じてしまうものであった。そこで、かかる疑念の払拭を行うべく、従来、払出装置による賞球の払出個数（払い出すべき残りの賞球個数）を遊技者側に表示するよう構成されたパチンコ遊技機が提案されるに至っている（特許文献１参照）。
【特許文献１】実公平２−３９５０７号公報
【発明の開示】
【発明が解決しようとする課題】
【０００４】
しかしながら、上記従来のパチンコ遊技機においては、遊技球が入賞口へ入賞する都度、その入賞に応じて設定された賞球個数を表示し、払い出しに応じて順次減算した残りの賞球個数を表示しているので、正常状態においては、当該表示が瞬時に繰り返し表示されて目まぐるしく変化し、遊技者にとって視覚的に煩わしく感じることがあるという問題があった。
【０００５】
本発明は、このような事情に鑑みてなされたもので、払出異常の解消後に払い出される残りの賞球個数に対する遊技者側の疑念を払拭し得るとともに、遊技者にとっての視覚的な煩わしさを解消することができるパチンコ遊技機を提供することにある。
【課題を解決するための手段】
【０００６】
請求項１記載の発明は、遊技盤上に打ち出された遊技球が当該遊技盤上の入賞口に入賞することにより、その入賞に対応して設定された個数の賞球を払い出しする払出装置を具備したパチンコ遊技機において、払い出されるべき賞球個数から前記払出装置にて実際に払い出された賞球個数を減算して、当該払出装置から払い出しすべき残りの賞球個数を演算する演算手段と、前記払出装置による払出動作が不可能となった払出異常を検知する払出異常検知手段と、該払出異常検知手段が払出異常を検知し、且つ、前記演算手段により演算された残りの賞球個数が有る場合に、当該残りの賞球個数を表示する未払出個数表示手段とを備えたことを特徴とする。
【０００７】
請求項２記載の発明は、請求項１記載のパチンコ遊技機において、前記払出異常検知手段が払出異常を検知した際、当該払出異常の解消を指示する表示を行うことを特徴とする。
【０００８】
請求項３記載の発明は、請求項１又は請求項２記載のパチンコ遊技機において、賞球を受け得る受け皿が満杯となったことにより前記払出異常検知手段が払出異常を検知した際、当該受け皿上の遊技球を排出するための操作手段又は遊技球が排出される排出口近傍を点灯させることを特徴とする。
【発明の効果】
【０００９】
請求項１の発明によれば、払出異常検知手段が払出異常を検知し、且つ、演算手段により演算された残りの賞球個数が有る場合に限って、当該残りの賞球個数を未払出個数表示手段にて表示するので、払出異常の解消後に払い出される残りの賞球個数に対する遊技者側の疑念を払拭し得るとともに、遊技者にとっての視覚的な煩わしさを解消することができる。
【００１０】
請求項２の発明によれば、払出異常検知手段が払出異常を検知した際、当該払出異常の解消を指示する表示を行うので、払出異常の原因を正確に認識することができるとともに、当該払出異常を素早く解消させることができる。
【００１１】
請求項３の発明によれば、賞球を受け得る受け皿が満杯となったことにより払出異常検知手段が払出異常を検知した際、当該受け皿上の遊技球を排出するための操作手段又は遊技球が排出される排出口近傍を点灯させるので、払出異常の原因を正確に認識することができるとともに、点灯により受け皿上の遊技球の排出作業を良好に行わせることができる。
【発明を実施するための最良の形態】
【００１２】
以下、本発明の実施形態について図面を参照しながら具体的に説明する。
本実施形態に係るパチンコ遊技機は、図１に示すように、遊技盤（不図示）を透視し得るガラス窓２と、遊技盤上に遊技球を打ち出すためのハンドル４と、遊技者が投入する遊技球及び払い出しされた賞球等を受け得る受け皿５と、操作手段としての球抜きボタン６と、未払出個数表示手段７とが主に前面枠３に配設されたものである。
【００１３】
ハンドル４は、遊技者が把持しつつ回動操作することにより、内部の発射装置（不図示）を駆動させ、連続的に遊技盤上へ遊技球を打ち出し可能としたものである。かかるハンドル４の回動操作にて遊技盤上へ打ち出された遊技球が、当該遊技盤上に形成された入賞口（普通入賞口や大入賞口等含む）に入賞すると、その入賞に対応して設定された個数の賞球が払い出しされるよう構成されている。
【００１４】
受け皿５は、前面枠３から正面側（遊技者側）に膨出して形成され、遊技者が投入する遊技球、払い戻される賞球又はファウル球等を多数収容し得るもので、図３に示すように、その底面の一部に球抜き用の孔を開閉する受け皿用開閉手段８が形成されている。また、受け皿５からは、遊技球を遊技盤に発射する発射装置（不図示）まで延び、遊技球を一列に整列させつつ当該発射装置まで送るための球通路レール９が形成されており、その途中には球抜き用の孔を開閉する球通路レール用開閉手段１０（図４参照）が形成されている。
【００１５】
そして、遊技者が球抜きボタン６を押圧操作すると、図示しないソレノイドが作動して、受け皿用開閉手段８又は球通路レール用開閉手段１０が開状態とされ、遊技球を落下し得るよう構成されている。然るに、受け皿５側の球抜き用の孔と球通路レール９側の球抜き用の孔とは、図４に示すように、球抜き通路１１により連通されており、球抜き時には、排出口１１ａから遊技球が落下して賞球箱に収容し得るようになっている。
【００１６】
本実施形態に係るパチンコ遊技機１においては、遊技球が遊技盤に打ち込まれている間（遊技継続中である場合）、球抜きボタン６を押圧操作すると、受け皿用開閉手段８のみが作動して当該受け皿５側の球抜きのみが行われるとともに、遊技球の遊技盤への打ち込みが行われていない場合、受け皿用開閉手段８及び球通路レール用開閉手段１０の双方が作動して両者の球抜きが同時に行われるよう構成されている。
【００１７】
これにより、遊技球を遊技盤に打ち込んでいる遊技の間、誤って球通路レール７からの球抜きを行ってしまうことを確実に回避でき、意図せず遊技球が発射できなくなってしまうことを防止することができるとともに、遊技球を打ち込んでいない非遊技状態においては、球抜きボタン６を押圧操作するだけで、受け皿５及び球通路レール９の両方から球抜きが行われるため、別個の操作手段を具備したものに比べ、球抜き操作を良好とすることができる。
【００１８】
一方、パチンコ遊技機１の背面側には、図２に示すように、遊技球タンク１２、遊技球タンクレール１３及び払出装置１４等が配設されており、払出制御基板１５の制御により受け皿５に賞球等を払い出し可能とされている。遊技球タンク１２は、遊技場の島から供給された遊技球を収容し得るもので、遊技球タンクレール１３を介して払出装置１４と連通されている。
【００１９】
払出制御基板１５は、図５に示すように、遊技盤上の入賞口に遊技球が入賞したことを検知する入賞球検出スイッチ１６とメイン基板２７を介して電気的に接続されており、遊技球の入賞に対応して設定された個数の賞球を払出装置１４にて払い出しさせ得るよう構成されている。払出装置１４は、同図に示すように、皿満タンスイッチ１７、払出モータ１８、払出球計数スイッチ１９、払出球確認スイッチ２０及び原点スイッチ２１を具備しており、それぞれが払出制御基板１５と電気的に接続されている。
【００２０】
払出モータ１８は、その回転駆動により遊技球タンク１２及び遊技球タンクレール１３の遊技球を順次受け皿５側へ送り出すための駆動手段であり、払出球計数スイッチ１９により送り出した遊技球の個数を計数するとともに、原点スイッチ２１によりローターの定位置が検出され得るよう構成されている。即ち、遊技球が入賞口に入賞すると、払出球計数スイッチ１９にて払出個数を計数しつつ払出モータ１８にて賞球に応じた個数の払出動作を行い得るようになっている。
【００２１】
皿満タンスイッチ１７は、払出装置１４の下部に形成され、受け皿５が満杯となったことにより払出装置１４による払出動作が不可能となったことを検知するためのものである。払出球確認スイッチ２０は、払出装置１４の上部に形成され、遊技球タンク１２及び遊技球タンクレール１３に遊技球がなく、払出装置１４による払出動作が不可能となったことを検知するためのものである。
【００２２】
一方、払出制御基板１５には、演算手段２２及び払出異常検知手段２３が設けられている。演算手段２２は、払い出されるべき賞球個数から払出装置１４にて実際に払い出された賞球個数を減算して、当該払出装置１４から払出すべき残りの賞球個数を演算するためのものである。尚、払出すべき残りの賞球個数が０となると、払出モータ１８による駆動を停止させるよう構成されている。
【００２３】
払出異常検知手段２３は、払出装置１４による払出動作が不可能になった払出異常を検知するためのもので、具体的には、皿満タンスイッチ１７の検知による払出異常、払出球確認スイッチ２０の検知による払出異常、払出モータ１８及び原点スイッチと払出球計数スイッチ１９とにより検知される駆動系の払出異常を認識し、払出モータ１８による駆動を強制的に停止させるよう構成されている。このうち、駆動系の払出異常には、払出装置１４における球詰まりや球噛み、ローターの空回りといった物理的な異常（モータ異常）と、出力電圧の異常など電気的な異常（スイッチ異常）とが挙げられる。
【００２４】
ところで、パチンコ遊技機１の前面枠３には、既述の未払出個数表示手段７の他、球抜き指示表示手段２４と、球抜きボタン照明手段２５と、排出口照明手段２６とが配設されており、払出異常に応じて各々が作動及び動作するようになっている。未払出個数表示手段７は、払出異常検知手段２３が払出異常を検知し、且つ、演算手段２２により演算された残りの賞球個数が有る場合に、当該残りの賞球個数を表示するためのものである。
【００２５】
具体的には、未払出個数表示手段７は、図６〜図８に示すように、３桁の数字をディジタル表示し得るものから成り、通常時（払出異常検知手段２３が払出異常を検知していないとき）は、図６に示すように、数字を表示せず、単にハイフンが３つ並んで表示された状態となっている。そして、払出異常検知手段２３が払出異常を検知すると、図７に示すように、残りの賞球個数をディジタル表示（例えば３４５個）する。
【００２６】
これにより、払出異常検知手段２３が払出異常を検知し、且つ、演算手段２２により演算された残りの賞球個数が有る場合に限って、当該残りの賞球個数を未払出個数表示手段７にて表示するので、払出異常の解消後に払い出される残りの賞球個数に対する遊技者側の疑念を払拭し得るとともに、遊技者にとっての視覚的な煩わしさを解消することができる。尚、残りの賞球個数が３桁を超えた場合（即ち、１０００個以上となった場合）、図８に示すように、「Ｆｕｌｌ」なる文字を表示するようになっている。
【００２７】
球抜き指示表示手段２４は、例えば未払出個数表示手段７の下部などに設けられ、払出異常の解消を指示する表示を行うためのもので、皿満タンスイッチ１７の検知による払出異常が生じた場合、「球を抜いて下さい」なる文字を遊技者側に照らし、球抜きボタン６の押圧操作を遊技者に促す。これにより、払出異常の原因を正確に認識することができるとともに、当該払出異常を素早く解消させることができる。尚、球抜き指示表示手段２４による指示は、他の払出異常を解消するための指示（遊技場の作業者に対する指示含む）としてもよい。
【００２８】
球抜きボタン照明手段２５は、球抜きボタン６の周囲に形成されたＬＥＤ等から成るもので、点灯により当該球抜きボタン６を照らし得るものであるとともに、排出口照明手段２６は、球抜き通路１１の排出口１１ａに配設されたＬＥＤ等から成るもので、点灯により当該排出口１１ａ近傍を照らし得るものである。これら球抜きボタン照明手段２５及び排出口照明手段２６は、球抜き指示表示手段２４と同様、皿満タンスイッチ１７の検知による払出異常が生じた場合のみ、球抜きボタン６及び排出口１１ａ近傍を点灯させ得るよう構成されている。これにより、払出異常の原因を正確に認識することができるとともに、点灯により受け皿５上の遊技球の排出作業を良好に行わせることができる。
【００２９】
次に、上記構成のパチンコ遊技機１における払出異常時の制御について図９のフローチャートに基づいて説明する。
遊技球が入賞口に入賞し、且つ払出異常が発生した際、皿満タンスイッチ１７による検知があるか否か（皿満タンエラーか否か）を判別し（Ｓ１）、異常検知がないと判断した場合は、Ｓ２に進んで払出モータ１８及び原点スイッチ等により検知される駆動系の払出異常（モータ異常）があるか否かを判別する。かかるモータ異常は、例えば払出モータ１８の駆動開始から所定時間経過しても原点スイッチ２１にて原点が検出できない等、球噛みが原因とされる異常や、原点を検出しても払出球計数スイッチ１９による払出球の検出がない等、空回りが原因とされる異常がある。
【００３０】
当該モータ異常がないと判断した場合は、払出球計数スイッチ１９などにより検出される駆動系の払出異常（断線等を原因とする電気系の異常：スイッチ異常）があるか否かを判別し（Ｓ３）、当該スイッチ異常がないと判断した場合は、Ｓ４に進み、払出球確認スイッチ２０による検知があるか否か（球無しエラーか否か）を判別する。当該球無しエラーがないと判断した場合は、未払出個数表示手段７を非表示（即ち、図６で示す表示）として（Ｓ５）、一連の制御を終了する。
【００３１】
一方、Ｓ１〜Ｓ４の何れかにおいて、払出異常があると判断された場合、Ｓ６へ進み、未払出個数表示手段７により残りの賞球個数を表示する。特に、Ｓ１にて受け皿５が満杯であることにより払出異常が生じたと判断された場合、未払出個数表示手段７による残り賞球個数の表示に加え、球抜き指示表示手段２４による文字表示を行うとともに、ボタン照明手段２５及び排出口照明手段２６による点灯をも行わせる。
【００３２】
尚、払出異常が解消すると、未払出個数表示手段７が非表示（即ち、図６で示す表示）とされるとともに、球抜き指示表示手段２４による文字が非表示とされ、ボタン照明手段２５及び排出口照明手段２６も消灯することとなる。かかる初期状態への復帰は、払出異常の解消後直に行われても、或いは残りの賞球の払い出しが全て終了してから行われてもよい。
【００３３】
以上、本実施形態について説明したが、本発明はこれに限定されるものではなく、例えば一般的な上下２段の受け皿（上皿及び下皿）を具備したパチンコ遊技機に適用するようにしてもよい。また、本実施形態においては、受け皿が満杯となって払出異常が生じた際、未払出個数表示手段７による残りの賞球個数の表示と同時に、球抜き指示表示手段２４による文字表示、及び球抜きボタン照明手段２５、排出口照明手段２６による点灯が行われるが、未払出個数表示手段７による表示のみとしてもよい。
【産業上の利用可能性】
【００３４】
払出異常検知手段が払出異常を検知し、且つ、演算手段により演算された残りの賞球個数が有る場合に、当該残りの賞球個数を未払出個数表示手段にて表示するパチンコ遊技機であれば、外観形状が異なるもの或いは他の機能が付加されたものにも適用することができる。
【図面の簡単な説明】
【００３５】
【図１】本発明の実施形態に係るパチンコ遊技機を示す正面図
【図２】同パチンコ遊技機を示す背面図
【図３】同パチンコ遊技機における受け皿近傍を示す斜視図
【図４】同パチンコ遊技機における球抜き時の遊技球の落下軌跡を示す模式図
【図５】同パチンコ遊技機における賞球の払出構成を示すブロック図
【図６】同パチンコ遊技機における未払出個数表示手段（通常時）による表示を示す模式図
【図７】同パチンコ遊技機における未払出個数表示手段（払出異常時）による表示を示す模式図
【図８】同パチンコ遊技機における未払出個数表示手段（払出異常時であって表示個数が１０００個以上のとき）による表示を示す模式図
【図９】同パチンコ遊技機における払出異常時の制御を示すフローチャート
【符号の説明】
【００３６】
１    パチンコ遊技機
２    ガラス窓
３    前面枠
４    ハンドル
５    受け皿
６    球抜きボタン（操作手段）
７    未払出個数表示手段
８    受け皿用開閉手段
９    球通路レール
１０  球通路レール用開閉手段
１１  球抜き通路
１１ａ  排出口
１２  遊技球タンク
１３  遊技球タンクレール
１４  払出装置
１５  払出制御基板
１６  入賞球検出スイッチ
１７  皿満タンスイッチ
１８  払出モータ
１９  払出球計数スイッチ
２０  払出球確認スイッチ
２１  原点スイッチ
２２  演算手段
２３  払出異常検知手段
２４  球抜き指示表示手段
２５  球抜きボタン照明手段
２６  排出口照明手段
２７  メイン基板
【図１】
2006158450.tif 000003
【図２】
2006158450.tif 000004
【図３】
2006158450.tif 000005
【図４】
2006158450.tif 000006
【図５】
2006158450.tif 000007
【図６】
2006158450.tif 000008
【図７】
2006158450.tif 000009
【図８】
2006158450.tif 000010
【図９】
2006158450.tif 000011